(57)【特許請求の範囲】
【請求項１】
下地部の上に仕上げ用床材を着脱自在に設置するようにした床設置構造において、
前記下地部には、前記仕上げ用床材の端部を下方から押し上げて浮上させる押し上げ装置が組み込まれており、
前記押し上げ装置は、隣接して設置される前記仕上げ用床材の間において、起立して上方に露出するように配され、上方からの押圧操作をして前記仕上げ用床材の押し上げを可能とした操作部を有していることを特徴とする床設置構造。
【請求項２】
請求項１において、
前記押し上げ装置は、中央部を支点とするとともに両側部を作用点とし、該作用点の一方を押圧することで作用点の他方を押し上げるてこの作用にて前記仕上げ用床材を押し上げるようになっている床設置構造。
【請求項３】
請求項１または２において、
前記下地部は、床下構造材の上に設置した下地材と、該下地材の上に設置した下地用パネルとを有しており、
前記押上げ装置は、前記下地用パネルに組み込まれている床設置構造。
【請求項４】
下地部の上に仕上げ用床材を着脱自在に設置するようにした床設置構造において、
前記下地部には、前記仕上げ用床材の端部を下方から押し上げて浮上させる押し上げ装置が組み込まれており、
前記下地部は、床下構造材の上に設置した下地材と、該下地材の上に設置した下地用パネルとを有しており、
前記下地用パネルは、前記仕上げ用床材が設置される開口を有したパネル板部と、前記仕上げ用床材が位置決めされる前記パネル板部の上下に突出した突条部とを備えており、
前記押し上げ装置は、前記下地用パネルに組み込まれており、上方より押圧操作する操作部と、支軸部と、前記仕上げ用床材を押し上げる押し上げ部とを備え、前記操作部が前記突条部を切り欠いて上方が開放された部位に配され、前記押し上げ部が前記パネル板部の開口の下方に配されるように前記下地用パネルに組み込まれており、前記操作部が押下されたときに、前記支軸部を中心に回動して前記押し上げ部の上端が開口より上方に突出する構成となっている床設置構造。
【請求項５】
請求項４において、
前記仕上げ用床材は、前記突条部を介して該突条部の両側に隣設される構成とされ、
前記突条部に沿って前記操作部が並んで配され、前記押上げ部が前記突条部から相互に反対向きに突出するように配されるようにして、前記押上げ装置が並設されている床設置構造。
【発明の詳細な説明】
【技術分野】
【０００１】
本発明は、下地部の上に仕上げ用床材を着脱自在に設置するようにした床設置構造に関する。
【背景技術】
【０００２】
従来の床設置構造として、仕上げ用床材を下地部の上に着脱自在に設置して、取り替え可能としたものが知られている（たとえば、特許文献１参照）。特許文献１の床設置構造は、仕上げ用床材がマグネット、面ファスナー、粘着テープ等の固定手段で下地部に対して取り外し可能に固定できるようになっている。
【先行技術文献】
【特許文献】
【０００３】
【特許文献１】特開平１１−１７２８９５号公報
【発明の概要】
【発明が解決しようとする課題】
【０００４】
しかしながら、特許文献１に記載の床設置構造は、上述した固定手段を用いて仕上げ用床材の着脱を可能としたものにすぎず、仕上げ用床材の取り外し作業が簡単に効率的にできる構造的特徴を有したものではない。したがって、仕上げ用床材の取り外し作業には時間を要するおそれがある。
【０００５】
本発明は、このような事情を考慮して提案されたもので、その目的は、既設の仕上げ用床材の取り外しが簡単に行える床設置構造を提供することにある。
【課題を解決するための手段】
【０００６】
上記目的を達成するために、本発明に係る床設置構造は、下地部の上に仕上げ用床材を着脱自在に設置するようにした床設置構造において、下地部には、仕上げ用床材の端部を下方から押し上げて浮上させる押し上げ装置が組み込まれており、押し上げ装置は、隣接して設置される仕上げ用床材の間において、起立して上方に露出するように配され、上方からの押圧操作をして仕上げ用床材の押し上げを可能とした操作部を有していることを特徴とする。
【０００７】
本発明において、押し上げ装置は、中央部を支点とするとともに両側部を作用点とし、作用点の一方を押圧することで作用点の他方を押し上げるてこの作用にて仕上げ用床材を押し上げる構成としてもよい。
【０００８】
また本発明において、下地部が、木造構造材の上に設置した下地材と、下地材の上に設置した下地用パネルとを有し、押上げ装置が、下地用パネルに組み込まれるような構成としてもよい。
【０００９】
さらに本発明に係る床設置構造は、下地部の上に仕上げ用床材を着脱自在に設置するようにした床設置構造において、下地部には、仕上げ用床材の端部を下方から押し上げて浮上させる押し上げ装置が組み込まれており、下地部は、床下構造材の上に設置した下地材と、下地材の上に設置した下地用パネルとを有しており、下地用パネルが、仕上げ用床材が設置される開口を有したパネル板部と、仕上げ用床材が位置決めされるパネル板部の上下に突出した突条部とを備えており、押し上げ装置が、下地用パネルに組み込まれており、上方より押圧操作する操作部と、支軸部と、仕上げ用床材を押し上げる押し上げ部とを備え、操作部が突条部を切り欠いて上方が開放された部位に配され、押し上げ部がパネル板部の開口の下方に配されるように下地用パネルに組み込まれて、操作部が押下されたときに、支軸部を中心に回動して押し上げ部の上端が開口より上方に突出するような構成となっている。
【００１０】
また本発明において、仕上げ用床材が、突条部を介して突条部の両側に隣設される構成とされ、突条部に沿って操作部が並んで配され、押上げ部が突条部から相互に反対向きに突出するように配されるようにして、押上げ装置が並設される構成としてもよい。
【発明の効果】
【００１１】
本発明に係る床設置構造によれば、上述のような構成としたことで、既設の仕上げ用床材の取り外しを簡単に行うことができる。
【図面の簡単な説明】
【００１２】
【図１】本発明の一実施形態に係る床設置構造の分解斜視図である。
【図２】同床設置構造の要部斜視図である。
【図３】（ａ）は同床設置構造に用いられる押し上げ装置の斜視図、（ｂ）（ｃ）は同押し上げ装置の動作を示す正面図であり、（ｂ）は定常状態を示した図、（ｃ）は操作時の状態を示した図である。
【図４】同床設置構造の裏面側の要部斜視図である。
【図５】図１のＸ−Ｘ線に対応した断面図である。
【発明を実施するための形態】
【００１３】
以下に、本発明に係る床設置構造の一実施形態について、添付図面を参照しながら説明する。
【００１４】
本床設置構造は、たとえば図５の縦断面図に示した床構造に適用される。図５の床構造は、大引き１０、１０間に第１の断熱材１１を嵌め込み、それらの上に下地材１２を設置し、その上に、第２の断熱材２５を有した下地用パネル２０を設置し、さらにその上に仕上げ用床材４０を着脱自在なように設置して構成されている。
【００１５】
なお、本床設置構造を採用する床構造としては、本実施形態では大引き１０の上に構造用合板で構成された下地材１２を設置する構造用合板構造を例示したが、大引き１０の上に、床下構造材を構成する根太（不図示）を設置する根太構造に適用したものでもよい。この根太構造の場合には、大引き１０、１０間および根太間に第１の断熱材１１が設置され、それらの上に下地材（下地合板）が設置される構造となっている。
【００１６】
大引き１０、１０間に設置する第１の断熱材１１としては、発泡ウレタン、発泡ポリスチレン等の充填断熱材を用いればよい。
【００１７】
また、下地材１２の上に設置する下地用パネル２０は、その外郭をなすパネル本体２１と、そのパネル本体２１に内蔵された第２の断熱材２２とを有した構造となっている。
【００１８】
パネル本体２１は、合成樹脂（ＰＰ樹脂、ＦＲＰ樹脂等）や木材で製されていることが望ましい。内蔵する第２の断熱材２２としては、発泡ウレタン、発泡ポリスチレン、真空断熱材が用いられる。
【００１９】
この下地用パネル２０は、図２、図３に示すように矩形状をなし、下地材１２の上に隈なく敷きつめられる。
【００２０】
また、本実施形態の床構造は、図１に示すように、１枚の下地用パネル２０に対して、４枚の仕上げ用床材４０、４０、・・・を設置する構成となっている。
【００２１】
本実施形態で用いられる押し上げ装置３０は、着脱自在に設置された仕上げ用床材４０を押し上げ浮上させるための装置であり、下地用パネル２０に組み込まれている。なお、本実施形態では、下地用パネル２０で構成された下地部に押し上げ装置３０を組み込む構成としたが、下地用パネル２０を設置しない構造のものでは、下地材１２よりなる下地部に押し上げ装置３０を組み込むようにしてもよい。
【００２２】
下地用パネル２０のパネル本体２１は、上面側に仕上げ用床材４０が設置されるパネル板部２２と、パネル板部２２の上方側に突出した突条部２３とを備えている。この突条部２３、２３、２３は、下地用パネル２０の四周に形成され、さらに内側にも中央で交差するように形成されており、４枚の仕上げ用床材４０、４０、・・・の位置決め用に設けられている。なお、突条部２３はパネル板部２２の裏面側では下方に突出しており、その裏面側の突出部は第２の断熱材２５を収容する収容凹所の枠部としても作用する。
【００２３】
そして、パネル本体２１の上面側の中央で交差する突条部２３、２３の一方には、後述する切欠き部２３ａ（図４参照）が形成されている。その切欠き部２３ａから突条部２３に隣接する両エリアのパネル板部２２の裏側に至るまでの部位に、仕上げ用床材４０を押し上げて浮上させる押し上げ装置３０が組み込まれている。また、突条部２３を介して隣り合うように設置された２組の仕上げ用床材４０、４０に対応して、４つの押し上げ装置３０、３０、・・・が組み込まれている。
【００２４】
隣接する１組の仕上げ用床材４０、４０に対して２つの押し上げ装置３０、３０が近接配置されており、同様に他の１組の仕上げ用床材４０、４０に対しても２つの押し上げ装置３０、３０が近接配置されている。
【００２５】
図２は、図１において１点鎖線Ｙで囲んだ２つの押し上げ装置３０、３０の詳細を示した斜視図である。これら２つの押し上げ装置３０、３０は、図２中、１点鎖線で示した○印Ｚを中心に同一の物が点対称位置に配されている。
【００２６】
押し上げ装置３０は、金属、合成樹脂等で折曲板体状に製されており、図３（ａ）〜（ｃ）に示すように、本体部３１の上面に突出して延設された支軸部３４を中心とするシーソー様の動作をなす構造となっている。押し上げ装置３０は、支点として半円柱状の支軸部３４、作用点の一方として本体部３１の端部より起立成形された押し上げ部３３、作用点の他方として本体部３１の他の端部より起立成形された操作部３２を備えている。
【００２７】
支軸部３４は軸孔３４ａを有し、その軸孔３４ａにはシーソー様の動作の軸となる軸ピン３５が挿通されている。この軸ピン３５は軸孔３４ａに対して遊挿状態にある。この軸ピン３５の一端において軸に対してほぼ直角に折曲された固定部３５ａが形成され、この固定部３５ａをパネル板部２２の裏面に固定することで、軸ピン３５の回転が禁止されるようになっている。そして、押し上げ装置３０は、軸ピン３５に対して本体部３１を含む板体全体がシーソー様の回転動作をなす構造となっている。
【００２８】
操作部３２は、手指や道具を用いて押圧（押し下げ）操作がなされる部位であり、この操作部３２を押し下げることで支軸部３４を中心として板体が回動し、押し上げ部３３が上方に移動する。また、押し上げ部３３を押し下げると、反対方向に回動し、操作部３２が上方に移動する。なお、見映えをよくするためには、操作部３２は突条部２３と略同幅寸法に形成することが望ましい。
【００２９】
このような構造の押し上げ装置３０は、操作部３２をパネル板部２２の側端の外側に上部が露出するように配するとともに、支軸部３４、押し上げ部３３をパネル板部２２の裏面側で、そのパネル板部２２の側端に近い端部箇所に配するようにして使用される。
【００３０】
また、この押し上げ装置３０は、突条部２３を介して突条部２３の両側に隣設される２つの仕上げ用床材４０、４０に対応して２つの装置が設置されている。具体的には、突条部２３に沿って両装置それぞれの操作部３２、３２が並んで配され、押し上げ部３３、３３が突条部２３から相互に反対向きに突出するように配されるようにして、押上げ装置３０が並設されている。
【００３１】
個々の押し上げ装置３０は、図２、図４に示すように各部が所定の位置に配される。すなわち、突条部２３の一部を切り欠いて形成した切欠き部２３ａに押し上げ装置３０の操作部３２が配される。また、パネル板部２２の端部には支軸部３４をスムーズに回動させるための支軸部開口２２ａが開設されており、その支軸部開口２２ａに支軸部３４が下方より装着された状態に配される。パネル板部２２の支軸部開口２２ａよりもさらにパネル中央側には押し上げ動作用の開口２２ｂが開設されており、その開口２２ｂに、押し上げ部３３が下方より挿入された状態に配される。なお、図４においては、押し上げ装置３０は２点鎖線による簡易表記とした。
【００３２】
また、押し上げ装置３０は切欠き部２３ａからパネル板部２２の裏面に沿って配される構成であるため、切欠き部２３ａは、図４に示すように、パネル板部２２の裏面よりも下方に至るまで切り欠かれた形状となっている。
【００３３】
また、支軸部開口２２ａの軸方向の両側には、パネル板部２２の裏面より下方に突出した軸受け部２２ｃ、２２ｃが形成されており、その軸受け部２２ｃ、２２ｃの凹部２２ｃａ、２２ｃａに軸ピン３５が軸受けされている。さらに、パネル板部２２の裏面には２片で軸ピン３４を挟持できるようにしたピン固定部２２ｄが形成されており、軸ピン３４の固定部３５ａをピン固定部２２ｄに圧入して、軸ピン３４が回動しないように固定されるようになっている。
【００３４】
さらに、押し上げ装置３０の板体の回動を許容するために、パネル板部２２の裏面と、本体部３１との間に所定間隔の空隙２２ｆが設けられている。
【００３５】
このように押し上げ装置３０が下地用パネル２０に組み込まれた状態では、図２に示すように、操作部３２が切欠き部２３ａを通じて露出し、支軸部３４が支軸部開口２２ａを通じて露出し、押し上げ部３３が開口２２ｂを通じて露出している。なお、パネル板部２２の上面には仕上げ用床材４０が設置されるため、操作部３２が垂直状態にあるときには、支軸部３４、押し上げ部３３のそれぞれは支軸部開口２２ａ、開口２２ｂよりも上方に突出しないようにすることが望ましい。
【００３６】
このように下地用パネル２０に組み込まれた押し上げ装置３０は、図２（ｂ）（ｃ）に示すように、操作部３２を下方に押圧操作することで、てこの原理によって、支軸部３４を支点として板体がシーソー様に回動し、押し上げ部３３が上方に移動して仕上げ用床材４０を浮上させる動作をなす。なお、操作部３２の操作は突条部２３の幅寸法に応じて、手指またはマイナスドライバーなどの道具を用いて行えばよい。
【００３７】
また、操作部３２の後方側に配される他方の仕上げ用床材４０側のパネル板部２２は、一部が切り欠かれて空所２２ｇが形成されており、この空所２２ｇによって板体の回動動作にともなう操作部３２の傾き動作が許容される。なお、図２に符号２２ｇを付して示した空所２２ｇは、奥側の押し上げ装置３０用の空所２２ｇである。
【００３８】
また、板体のシーソー様の回動運動は、開口２２ｂの上方縁２２ｂａと押し上げ部３３との接触、空所２２ｇの上方縁２２ｇａと操作部３３との接触またはパネル板部２２の裏面と本体部３１との接触などによって規制される。
【００３９】
このように本床設置構造は、てこ構造で構成した押し上げ装置３０を下地用パネル２０に組み込んだ構造であるため、パネル板部２２の上に設置した仕上げ用床材４０を小さな力で浮上させることができる。そのため、仕上げ用床材４０を簡単に取り外すことができる。なお、仕上げ用床材４０を安定的に設置するためには、下地用パネル２０との間で面ファスナーなどで相互に連結することが望ましいが、その場合には、仕上げ用床材４０を小さな力で浮上させるために、押し上げ装置３０の近傍には面ファスナーを取り付けないようにすることが望ましい。
【００４０】
このように本床設置構造は、既設の仕上げ用床材４０を簡易な操作で取り外しできる構成となっているため、局所的な仕上げ用床材４０の張り替え、位置替えの際には、仕上げ用床材４０の簡易、迅速な取り外し、取り付けを行うことができる。本実施形態に示した床構造は断熱材を２層にしたものであるため断熱材の保守、点検、取り替えを１層のものより多く行う必要があるが、仕上げ用床材４０の取り外しが簡単にできるため作業負荷を軽減することができる。
【００４１】
また、押し上げ装置３０の操作部３２を、突条部２３の一部を切り欠いた切欠き部２３ａに、突条部２３と幅寸法を略同一にして配する構成であるため、その操作部３２はほとんど目立たず、違和感がなく、美観を損なうこともない。また、操作部３２は上方が開放された部位に配されているため、上方から楽な姿勢で操作をすることができる。
【００４２】
さらに、突条部２３を介して突条部２３の両側に隣設される２枚の仕上げ用床材４０、４０に対して２つの押し上げ装置３０、３０を並設した構成であるため、装置の下地パネル２０への組み込みを楽に行える。また、並設される押し上げ装置３０の操作部３２は、図２に示すように、隣接状態に配されているので、２枚の仕上げ用床材４０、４０の取り外しを、場所を移動することなく迅速に行うことができる。
【００４３】
また、パネル板部２２には、支軸部３４を上方に露出させる支軸部開口２２ａが形成されているので、支軸部３４の回動をスムーズにさせることができる。なお、支軸部３４をより小径な半円柱体で構成する場合には、支軸部開口２２ａの代わりに、パネル板部２２の裏面に支軸部３４とパネル板部２２との接触を回避できる程度の凹部を設けるようにしてもよい。また、軸ピン３５を本体部３１に挿通させて上方突出のない支軸部を構成してもよく、その場合には支軸部開口２２ａや凹部を設けなくてもよい。
【００４４】
以上のように押し上げ装置３０は、てこの原理で動作するものが好適に利用できるが、仕上げ用床材４０の端部を下方から押し上げて浮上させる構造であれば、他の機構のものであってもよい。たとえば、コイルばねを下地用パネル２０に圧縮状態にして組み込んでおき、操作部の操作によってコイルばねが復帰して、下地用パネル２０の上に設置した仕上げ用床材４０を押し上げるような構造のものでもよい。もちろん他のばねを用いたものでもよい。
【００４５】
このような押し上げ装置３０が組み込まれた下地用パネル２０は、図５に示すように、パネル板部２２の下方に第２の断熱材２５が収容されたうえで、下地材１２の上に設置され、端部が木ねじ５で下地材１２に固定される。そして、突条部２３で囲まれたパネル板部２２の上部エリアに仕上げ用床材４０が設置される。
【符号の説明】
【００４６】
１０      大引き（床下構造材）
１１      第１の断熱材
１２      下地材
２０      下地用パネル
２１      パネル本体
２２      パネル板部
２３      突条部
２５      第２の断熱材
３０      押し上げ装置
３１      本体部
３２      操作部
３３      押し上げ部
３４      支軸部
３５      軸ピン
４０      仕上げ用床材
【図１】
0005906449.tif 000002
【図２】
0005906449.tif 000003
【図３】
0005906449.tif 000004
【図４】
0005906449.tif 000005
【図５】
0005906449.tif 000006